Podtech/llm-jp-corpus-v4-ja_patent huggingface dataset:
(57)【要約】      （修正有）【課題】バレーボール支柱は伸縮式の二重管で機構が複雑で重量が大きい為、扱いが困難で女子や低年齢者には事故の危険があり故障も多かった。鉄製は特に危険であったことから、アルミ合金の単管を使用して、規格の高さで製作する事により、美観、安全性、耐久性、操作性を確段に向上させ、高さ別の専用品を提供する。【解決手段】アルミ合金の単管の上部にシーブ２を設け、下部に緩衝材を設ける。緩衝材下部よりシーブまでの高さは六人制及び九人制の規格それぞれの高さに埋込深さｄを加えた長さとする。一対の一方にフックを設け、他方にはネット巻を取付ける。屋外用の場合には緩衝材の代わりにツバをストッパーとして設ける。【選択図】図１
2007082982.tif 000002
【特許請求の範囲】
【請求項１】
バレーボール支柱に関し、アルミ合金の単管の上端にシーブ下端に緩衝材を設け緩衝材端面よりシーブまでの高さを６人制および９人制の規格のそれぞれの高さに埋込深さを加味してバレーボール支柱を供給するシステム。
【発明の詳細な説明】
【発明の詳細な説明】
【産業上の利用分野】
【０００１】  本発明はバレーボール支柱の構造に関し、アルミ合金の単管で規格の専用の支柱を提供する事。
【背景技術】
【０００２】  バレーボールは男、女、年齢問わず広く行われているスポーツではあるが、競技の性格上、ネット高さは６人制７種類、９人制８種類の高さが規定されている。その為バレーボール支柱は外管と内管で構成して、内管の高さを調整可能にすることにより兼用する方式をとっており、ピン式とギヤー式がある。しかし、ピン式は指を挟む事故等が発生する危険がありギヤー式は故障や寿命の点で問題があった。主材は鋼管が多く使用されており、ギヤー式の場合１本当り２５ｋｇ〜３５ｋｇ程度で大人でも取扱いが非常に困難である。女子や若年になるとその扱いは非常に危険を伴う。近年アルミ合金製も使用されているが鉄製よりは軽いが十分な軽さとは言へない。その上、外管と内管で構成することは外管の強度が内管によって制限を受け、設計の自由度が少なくなる。
【課題を解決する為の手段】
【０００３】  本発明では内管を廃しアルミ合金の単管の柱１を使用し、上部にシーブ２下部に底蓋３を設ける。底蓋３はゴムや樹脂を用い緩衝材としての役割も持つ。本発明のバレーボール支柱の全長は規格のそれぞれの高さｈと一定でない体育館の埋設管の深さｄを加味し個々に対応させている。これにより全ての顧客それぞれの要望にあった長さの規格のバレーボール支柱が実現で来る。尚、ワイヤ掛５ウインチ６は適切に設けられている。以上は体育館用であるが、屋外用はＧＬの位置につば４を設けストッパーとし底蓋３は省かれている。
【発明の効果】
【０００４】  本発明によれば柱１は単管であり高さ調整機構が無い為伸縮式に比べて部品点数や重量が大幅に減る。故障の可能性も格段に小さくなる。アルミ合金で製作するので鉄製に比べて重量が非常に軽くなる。種類により一本当りの重量は８〜１２ｋｇ程度が期待される。これにより低年齢でも運搬や取り扱いが容易になり、最も重要な安全性が非常に向上する。更に高さ調整の必要が無く使用が非常に簡便である。外観もシンプルとなり美観が格段に向上する。実際の使用に当っては中学校を例にとれば中学男子用、中学女子用、夜間開放用等必要に応じ専用で用意する事により取り扱い、安全性、耐久性、価格、管理の全ての面で非常に優れた結果が得られる。更に単管の為、求められる曲げ強度に応じた適切なリブや肉厚設計も非常に容易に行へる。これにより、強度と軽さにおいて最適のバレーボール支柱が実現できる。アルミ合金は軽さとコストの点で多用されていてる合金であるがマグネシューム合金や炭素繊維品を使用する事も本発明の意図するところである。
【図面の簡単な説明】
【０００５】
【図１】  体育館用バレーボール支柱
【図２】  屋外用バレーボール支柱
【符号の説明】
【０００６】１．  柱                        ｈ    ネット高さ
２．  シーブ                    ｄ    埋込深さ
３．  底蓋                      ＦＬ  床面位置
４．  つば                      ＧＬ  コート面位置
５．  ワイヤ掛け
６．  ウインチ
【図１】
2007082982.tif 000003
【図２】
2007082982.tif 000004
(57)【要約】      （修正有）【課題】糸の先端を針の耳穴に通すのではなく、針の耳の外縁に沿わせるようにしながら、糸が通せる針を提供する。【解決手段】針の耳をのように加工し、（ａ）部と（ｂ）部を糸の太さに応じた開きにする。その空けた隙間（ｃ）は糸が通れる開きになっている。（ｄ）部は、糸が通った後、逆戻りして抜けないように、（ａ）部を伸ばして設ける。針の耳を、このように細工することによって、糸を針の耳の外側に当てながら糸断面（１）から糸断面（２）へずらし、さらに糸断面（３）へ移動させ、糸断面（４）にセットすれば、あとは針を従来の通りに使用できる。【選択図】図２
2007082981.tif 000002
【特許請求の範囲】
【請求項１】
〔図１〕のように、針の耳の穴を一部空けて、糸が通る隙間を設けた、糸が通る針。
【発明の詳細な説明】
【発明の詳細な説明】
【技術分野】
【００１】  この発明は、針の耳に糸を通すのに苦労しないようにする為、
【図１】
のように針の耳の穴を一部空けた針に関するものである。
【背景技術】
【００２】  従来は、針の耳の細長い円形の小さい穴に、糸を通して使用していた。
【発明が解決しようとする課題】
【００３】  従来の方法では、次のような欠点があった。
（１）針の耳の穴が小さいので、糸が通せないときは、糸通し器を用意して糸を通さなければ、裁縫ができない。糸通し器が、見つからなければ大変である。
（２）針の耳に糸が通せないときは、通せる人に頼むときもあるが、都合よく、適任者が、居ないときは困る。
本発明は、この欠点を除くためのものである。
【課題を解決するための手段】
【００４】  針の耳の穴を、
【図１】
のように加工する。裁縫する時、針の通り具合に支障がないように耳の部分は余り太くならないようにする。針の耳の穴は
【図２】
のように加工する。針の耳の穴の枠（ａ）部は（ｂ）部と（ｃ）だけ空けて下へ伸ばして（ｄ）部を作る。耳の穴の枠は、（ａ）部から（ｃ）だけ開いて（ｂ）部を作り針の棒部（ロ）に接続する。
本発明は、以上のような構造で、針の耳穴に直接糸を差し込んで通さずして、糸を通すことが出来る、糸が通る針である。
【本発明の実施の形態】
【００５】  本発明の実施の形態について、説明する。
（１）在来の針の耳部のように、針の棒部分より、耳部が出来るだけ、太くならないようにする。
（２）針の耳部は、
【図２】
のように耳の穴の枠（ａ）部を、耳の枠（ｂ）から（ｃ）だけ開けて下へ伸ばして（ｄ）部を作る。次に耳の穴枠は、穴の枠（ａ）部から（ｃ）だけ空けて穴枠（ｂ）部を作り針の棒部（ロ）に連続する。
本発明は、以上のような構造で、これを使用するときは、糸の先端を針の耳穴に通すのではなく、
【図２】
に示すように、糸を、針の耳の外縁に沿わせるようにしながら、糸断面（１）のところから糸断面（２）へ、さらに糸断面（３）へとずらして針の耳の穴に入れて、糸断面（４）の位置に入れ込めば、従来どおりに針が使える。
【発明の効果】
【００６】  針の耳の穴通しに苦労する人には、細い針の耳穴に、糸を通す必要がないので、きわめて便利である。
【図面の簡単な説明】
【図１】  本発明の糸が通る針の断面図である。
【図２】  本発明の糸が通る針の拡大詳細断面図である。
【符号の説明】
（イ）  針の耳部
（ロ）  針の棒部
（１）  糸の断面
（２）  糸の断面
（３）  糸の断面
（４）  糸の断面
（ａ）  針の耳の穴の枠を形成している部材
（ｂ）  （ａ）部材から（ｃ）の隙間を空けて耳の枠を形成している部材
（ｃ）  空間（耳の穴の枠が空いている部分）
（ｄ）  （ａ）部材から伸びている部材
【図１】
2007082981.tif 000003
【図２】
2007082981.tif 000004
(57)【要約】【課題】  通常、ゴルファーは芝目を読むのが難しい。芝目がどの方向に向っているかが分かればパッティングは容易になる。虫眼鏡を持っていれば拡大して芝目を読めるが、一々持ち歩いたり、その都度取り出したりするのは面倒。そこでパッティング時にボール位置を示すマーカーにレンズを収納する。マークする際にレンズを引き出し芝目を読み、マーカーを置くときには収納できるようにする。【解決手段】  図２のようにマーカーの上部と下部にレンズ部を挟み、マーカー上・下部及びレンズ部の片側の端をビスなどで留める。その留め部分を軸にしてレンズ部を回転してマーカーから出し入れ可能にする。芝目を読むときにレンズを引き出し、マーカーを置くときには収納する。これによりプレーヤーは拡大鏡を持ち歩くなどの負担もなく、プレー動作にも無駄なく芝目を読むことができる。また、レンズも傷つかないで済む。【選択図】  図２
2007082986.tif 000002
【特許請求の範囲】
【請求項１】
ゴルフのパッティング時に使用するマーカーに、芝目を読めるようにレンズを収納する。マーカーの上部と下部の間にレンズ部を挟みマーカー上・下部及びレンズ部の片側の端をビスなどで留める。その留め部分を軸にしてレンズ部を回転してマーカーから出し入れ可能にする。芝目を読むときにレンズを引き出し、マーカーを置くときには収納する。これによりレンズも傷つかず、プレーヤーも動作に無駄なく芝目を読むことができるようになる。
【発明の詳細な説明】
【図面の簡単な説明】
【図１】    本発明のレンズ収納マーカーの見取図である。
【図２】    レンズを取り出したマーカーの見取図である。
【符号の説明】
１  マーカー上部
２  マーカー下部
３  レンズ部
４  ビス部
【図１】
2007082986.tif 000003
【図２】
2007082986.tif 000004
(57)【要約】【課題】従来の健康増進器具にはブレスレット、ネックレス等の装飾品として身につけることにより健康・美容増進作用を得られることを目的としたものはあったが、そのほとんどがゲルマニウム・金・プラチナ・チタン等の内、１種類の金属を用いたもの、又は２種類を同時に用いたもの、金属と、トルマリン・ルビー・ダイヤモンド・水晶などの宝石を合わせたものはあったが、金・ゲルマニウム・琥珀の３種類に特定し３種を同時に用いたものはなかった。また、健康・美容増進材、一般的に健康食品と称される食品や、化粧材には、１種類の金属、又は琥珀のみの作用によって、健康・美容増進効果を得ることを目的とする製品はあっても、３種類を同時に用いたことを特徴としたものはなかった。【解決手段】本発明は、金、ゲルマニウム、琥珀の３種の物体を、固体のまま組み合わせる。または粉体、または熔解し混ぜ合わせたり、重ね合わせることにより解決される。【特許請求の範囲】
【請求項１】
金、ゲルマニウム、琥珀の固体３種を同時に用いたことを特徴とする美容、健康増進器具。
【請求項２】
金、ゲルマニウム、琥珀を粉体にし、更に３種を混合したものを用いた美容、健康増進材。
【請求項３】
金、ゲルマニウム、琥珀を粉体にし、更に３種を混合したものを用いたことを特徴とする健康・美容増進器具。
【請求項４】
金、ゲルマニウム、琥珀を熔解、液状にし、更に３種を混合したものを用いたことを特徴とする健康・美容増進材。
【請求項５】
金、ゲルマニウム、琥珀の３種を混合、またはそれぞれをシート状もしくはフィルム状にしたものを同時に合わせたことを特徴とするシート状の健康・美容増進器具。
【請求項６】
金、ゲルマニウム、琥珀の３種を混合、またはそれぞれシート状にしたものを同時に合わせたことを特徴とするシート状の健康・美容増進材。
【発明の詳細な説明】
【技術分野】
【０００１】本発明は、金、ゲルマニウム、琥珀の３種を同時に用いることにより得られる健康増進作用、美容増進作用を発揮し得る新しい健康・美容増進器具及び健康・美容増進材に関する。
【背景技術】従来の健康増進器具にはブレスレット、ネックレス等の装飾品として身につけることにより健康・美容増進作用を得られることを目的としたものはあったが、そのほとんどがゲルマニウム、金、プラチナ、チタン等の内、１種類の金属を用いたもの、または金、ゲルマニウムチタン、銀、プラチナ、チタン等の金属のうち２種類を同時に用いたもの、または金、ゲルマニウム、チタン、銀、プラチナ、チタン等の金属と、トルマリン、ルビー、ダイヤモンド、水晶などの宝石を合わせたものはあったが、金、ゲルマニウム、琥珀の３種類に特定し３種を同時に用いたものはなかった。
また、健康・美容増進材、例えば一般的に健康食品と称される食品や、化粧材には金、ゲルマニウム、チタン等の内、１種類の金属、又は琥珀のみの作用によって、健康・美容増進作用を得ることを目的とする製品はあっても、３種類を同時に用いたことを特徴としたものはなかった。
【発明の開示】
【発明が解決しようとする課題】本発明の目的は、金、ゲルマニウム、琥珀のそれぞれの優れた健康・美容増進作用を更にそれら３種類を同時に用いることにより、単体で用いた場合、または２種類で用いた場合では得られない相乗作用を引き出し、より優れた健康・美容増進効果が得られる健康・美容増進器具及び健康・美容増進材を提供することにある。
【課題を解決するための手段】本発明は、金、ゲルマニウム、琥珀の３種の物体を、固体のまま組み合わせる。または粉体、または熔解し混ぜ合わせることにより解決される。
【発明の効果】人間の体には常に微弱な電流が流れている。金を皮膚表面に接触させた場合、金が放出するイオンと人体のイオンが呼応して、組織に電流が流れ、体液や血液、組織液中に電位が誘起され、これにより血液の流れや組織液の流れがよりよくなる。よって、血流促進作用により皮膚の老化防止、血流が悪くなることによって引き起こされる疾病の改善、ホルモンの分泌促進による皮膚の活性化、皮膚の炎症防止効果等が得られる。
ゲルマニウムには人体内の微弱電流のプラスとマイナスのバランスを正常にし、細胞の活性化を促す作用がある。
また、琥珀は古来より様々な疾病の治療に用いられたとされる記録があり、例としては呼吸器系障害、喘息、気管支炎、腸やぼうこうの障害、心臓病などがあげられる。
また、琥珀を身につけることにより、リュウマチ、関節炎、疲労感からの開放が得られると言われている。また、肌に直接こすることによっても同様の効果が得られるとされる。この様に、金、ゲルマニウム、琥珀にはそれぞれ優れた健康、美容増進効果があり、この３種を合わせて用いることにより、これらの効果は相乗的に作用し、より優れた血流促進効果、ホルモン分泌促進効果、細胞活性効果、痛みの軽減、疲労感の解放、精神の安定、うつ症状の軽減、血圧安定効果、冷え性症状の軽減、更年期障害の軽減、運動能力の向上、記憶能力の増進、集中力の増進等の効果が得られる。
【発明を実施するための最良の形態】
【実施例１】金、ゲルマニウム、琥珀をそれぞれローラー状にし取っ手を取り付け、肌表面を転がし回転させることにより、容易に肌細胞の活性化、血流の促進等により美白効果を得られる美顔器具。又、握る柄の部分にも同様に３種を混ぜ合わせたものをシート状、又はフィルム状にし貼付。握ることにより手のひらのツボ、皮膚、血管を刺激する。
【実施例２】金、ゲルマニウム、琥珀をそれぞれ粉体にした上、３種を混ぜ合わせ、シート状にし、容易に肌に貼り付けられるような工夫を加え、それを痛みのある場所に添付することにより、痛みの軽減、痛みの原因となる疾病の治癒を得ることを目的とするシート状のシップ剤。
【実施例３】金、ゲルマニウム、琥珀の３種を固体のまま組み合わせ、又はそれぞれを粉体又は熔解し混合させたものを肌に付ける事によって、健康美容増進効果が得られるブレスレット、ネックレス、指輪等の装身具。
【実施例４】金、ゲルマニウム、琥珀をそれぞれ粉体にした上、３種を同時に用いたことを特徴とした健康食品。
【実施例５】金、ゲルマニウム、琥珀をそれぞれ粉体、液体、ゲル状クリーム状にした上、混合。３種を同時に用いることを特徴とした化粧類。
(57)【要約】      （修正有）【課題】  野菜等の裏ごし作業を安全かつ容易に行える、電子レンジ用裏ごし調理器具を提供する。【解決手段】  側面部に蒸気を逃がすための逆支弁（３）を設けた外皿（１）の内部に、水を適量入れた上で、上部に裏ごし網（４）を装着した受け皿（２）を設置する。裏ごし網（４）の上に調理しようとする野菜等を載せた後に、全体を覆うように伸縮性耐熱蓋（５）を外皿（１）に装着する。  上記構成により、野菜等を電子レンジで加熱調理する際に生じる蒸気を容器の外部に逃がすことで、加熱調理後に容器の内部の温度が下がると同時に圧力が下がり、容器の上部に装着した伸縮性耐熱蓋（５）が吸引される現象を利用し、加熱し柔らかくなった野菜等が伸縮性耐熱蓋（５）により裏ごし網（４）に押し付けられ、裏ごしすることを可能とした電子レンジ用裏ごし調理器具である。【選択図】図１
2007082987.tif 000002
【特許請求の範囲】
【請求項１】
側面部に蒸気を逃がすための逆支弁（３）を設けた外皿（１）の内部に、水を適量入れた上で、上部に裏ごし網（４）を装着した受け皿（２）を設置し、裏ごし網（４）の上に調理しようとする野菜等を載せた後に、全体を覆うように伸縮性耐熱蓋（５）を外皿（１）に装着するようにした電子レンジ用裏ごし調理器具。
【発明の詳細な説明】
【発明の詳細な説明】
【技術分野】
【０００１】  本発明は、電子レンジで野菜等を調理する際に生じる蒸気を容器の外部に逃がすことで、加熱調理後に容器の内部の温度が下がると同時に圧力が下がる現象を利用して、加熱された野菜等を裏ごし網に押し付け、裏ごしする調理器具に関するものである。
【背景技術】
【０００２】  従来は、電子レンジで加熱調理する際に生じる蒸気を容器の外部に逃がすことで、加熱調理後に容器の内部に生じる減圧力を利用し、加熱調理した野菜等を裏ごしする調理器具はなかった。
【発明が解決しようとする課題】
【０００３】  通常の野菜などの裏ごし作業は、まず皮を剥いた後、一度電子レンジやなべ等で加熱し、柔らかくなった状態で裏ごし網に載せ、へら等を用いて裏ごし網に押し付け、裏ごしをする。この一連の作業には、皮を剥き、加熱し、裏ごしするというそれぞれの作業において別々の調理器具を用いなければならず、非常に煩わしいものであった。
本発明は以上の課題を解消し、野菜等の裏ごし作業を安全かつ容易にするためになされたものである。
【課題を解決するための手段】
【０００４】  側面部に蒸気を逃がすための逆支弁（３）を設けた外皿（１）の内部に、水を適量入れた上で、上部に裏ごし網（４）を装着した受け皿（２）を設置する。裏ごし網（４）の上に調理しようとする野菜等を載せた後に、全体を覆うように伸縮性耐熱蓋（５）を外皿（１）に装着する。
本発明は以上の構成よりなる、野菜等を電子レンジで加熱調理する際に生じる蒸気を容器の外部に逃がすことで、加熱調理後に容器の内部の温度が下がると同時に圧力が下がり、容器の上部に装着した伸縮性耐熱蓋（５）が吸引される現象を利用し、加熱し柔らかくなった野菜等が伸縮性耐熱蓋（５）により裏ごし網（４）に押し付けられ、裏ごしすることを可能とした電子レンジ用裏ごし調理器具である。
【発明を実施するための最良の形態】
【０００５】  以下、本発明の実施の形態について説明する。
（イ）外皿（１）に、内部で生じた蒸気を外部に逃がす逆支弁（３）を設ける。
（ロ）外皿（１）の内部に、裏ごし網（４）を装着した受け皿（２）を設置する。
（ハ）裏ごし網（４）の上部に、調理しようとする野菜等を載せた後に、全体を覆うように伸縮性耐熱蓋（５）を外皿（１）に装着する。
本発明は以上の構成よりなる。
本発明を使用する場合は、外皿（１）の内部に水を適量入れ、裏ごし網（４）を装着した受け皿（２）を設置し、裏ごし網（４）の上に調理しようとする野菜等を置き、全体を覆うように伸縮性耐熱蓋（５）を外皿（１）に装着する。この状態で電子レンジに入れ、加熱する。
【発明の効果】
【０００６】  外皿（１）に、加熱調理した際に生じる蒸気を外部に逃がす逆支弁（３）を設け、外皿（１）の内部に裏ごし網（４）を装着した受け皿（２）を設置し、調理しようとする野菜等を裏ごし網（４）の上に置いた後に、全体を覆うように伸縮性耐熱蓋（５）を外皿（１）に装着する。
これにより、電子レンジで加熱調理した際に容器の内部で生じる蒸気を容器の外部に逃がし、加熱調理後に容器の内部の温度が下がると同時に圧力が下がることにより、容器の上部に装着した伸縮性耐熱蓋（５）が吸引され、加熱し柔らかくなった野菜等が伸縮性耐熱蓋（５）により裏ごし網（４）に押し付けられ、裏ごしされる。
また、調理しようとする野菜等を切断し、その切断面が裏ごし網（４）に接するように配置することで、野菜等の皮だけを残し裏ごしすることができる。これにより、野菜等の裏ごし作業を、安全かつ容易に行うことが可能となった。
【図面の簡単な説明】
【図１】  本発明の斜視図である。
【符号の説明】
（１）外皿、（２）受け皿、（３）逆支弁、（４）裏ごし網、（５）伸縮性耐熱蓋
【図１】
2007082987.tif 000003
(57)【要約】【課題】食べる前に塩戻しが不要なタケノコの調理方法および調理済みタケノコを提供する。【解決手段】約２００リットルの容量を有する容器１１に、タケノコ１２と約２５ｋｇの米糠１３とを入れる。容器１１は、ドラム缶から成る。タケノコ１２は、皮付きのままであり、米糠１３は、市販の袋入りのものから成る。タケノコ１２と米糠１３とを入れた容器１１いっぱいに水１４を入れ、容器１１の下方に置かれた薪１に火２をつけて、約４時間程度煮込む。冷ました後、容器１１からタケノコ１２を取り出して皮をむく。【選択図】図１
2007082412.tif 000002
【特許請求の範囲】
【請求項１】
タケノコを、米糠とともに煮込んだ後、前記タケノコの皮をむくことを、特徴とするタケノコの調理方法。
【請求項２】
タケノコを、米糠とともに煮込んだ後、前記タケノコの皮をむいて調理されることを、特徴とする調理済みタケノコ。
【発明の詳細な説明】
【技術分野】
【０００１】
本発明は、タケノコの調理方法および調理済みタケノコに関する。
【背景技術】
【０００２】
従来、タケノコの保存性を向上させるためには、タケノコを漬け物にするのが一般的である（例えば、特許文献１、２参照）。
【０００３】
【特許文献１】特開平６−２０９７００号公報
【特許文献２】特許第２９８３８８６号公報
【発明の開示】
【発明が解決しようとする課題】
【０００４】
しかしながら、従来のタケノコの漬け物は、腐敗を防止し、保存性を高めるため、多量の塩分を添加してあるので、食べる前に塩戻ししなければならないという課題があった。
【０００５】
本発明は、このような課題に着目してなされたもので、食べる前に塩戻しが不要なタケノコの調理方法および調理済みタケノコを提供することを目的としている。
【課題を解決するための手段】
【０００６】
上記目的を達成するために、本発明に係るタケノコの調理方法は、タケノコを、米糠とともに煮込んだ後、前記タケノコの皮をむくことを、特徴とする。
【０００７】
本発明に係るタケノコの調理方法では、料理後のタケノコを冷凍することにより、タケノコを漬け物にすることなく、長期間保存することができる。このため、食べる前にタケノコの塩戻しが不要である。また、米糠とともに煮込むため、タケノコに特有なあくやえぐみが抜け、やわらかく、食感の良いタケノコを提供することができる。
【０００８】
本発明に係るタケノコの調理方法は、ドラム缶にタケノコと米糠約２５ｋｇとを入れた後、ドラム缶いっぱいに水を入れて約４時間程度煮込み、火を止めた後、冷ましてからタケノコの皮をむくことが好ましい。この場合、特に保存性が良く、やわらかく、食感の良いタケノコを提供することができる。また、タケノコのあくやえぐみを十分に抜くことができる。なお、ドラム缶は、容量が２００リットル程度のものを使用するのが好ましい。
【０００９】
本発明に係る調理済みタケノコは、タケノコを、米糠とともに煮込んだ後、前記タケノコの皮をむいて調理されることを、特徴とする。
【００１０】
本発明に係る調理済みタケノコは、冷凍することにより、タケノコを漬け物にすることなく、長期間保存することができる。このため、食べる前に塩戻しが不要である。また、米糠とともに煮込むため、タケノコに特有なあくやえぐみが抜け、やわらかく、食感が良い。本発明に係る調理済みタケノコは、そのまま食べてもよいが、和食、中華、洋食などの料理に用いて、適宜、味付けし、おいしく食べることができる。
【発明の効果】
【００１１】
本発明によれば、食べる前に塩戻しが不要なタケノコの調理方法および調理済みタケノコを提供することができる。
【発明を実施するための最良の形態】
【００１２】
以下、図面に基づき、本発明の実施の形態について説明する。
図１は、本発明の実施の形態のタケノコの調理方法を示している。
図１に示すように、本発明の実施の形態のタケノコの調理方法は、まず、容器１１の内部に、タケノコ１２と約２５ｋｇの米糠１３とを入れる。
【００１３】
なお、容器１１は、ドラム缶から成り、約２００リットルの容量を有している。容器１１は、地面に置かれた薪１の上方に設置されている。タケノコ１２は、皮付きのままである。米糠１３は、市販の袋入りのものから成る。
【００１４】
タケノコ１２と米糠１３とを入れた容器１１いっぱいに水１４を入れ、容器１１の下方に置かれた薪１に火２をつけて、約４時間程度、沸騰または沸騰に近い温度で煮込む。火を止め、そのまま約８時間程度冷ました後、容器１１からタケノコ１２を取り出し、皮の手袋などを嵌めてタケノコ１２の皮をむく。こうして、本発明の実施の形態の調理済みタケノコを作ることができる。
【００１５】
本発明の実施の形態の調理済みタケノコは、冷凍することにより、タケノコ１２を漬け物にすることなく、長期間保存することができる。このため、食べる前に塩戻しが不要である。また、米糠１３とともに煮込むため、タケノコ１２に特有なあくやえぐみが十分に抜け、やわらかく、食感が良い。
【図面の簡単な説明】
【００１６】
【図１】本発明の実施の形態のタケノコの調理方法を示す説明図である。
【符号の説明】
【００１７】
１  薪
２  火
１１  容器
１２  タケノコ
１３  米糠
１４  水
【図１】
2007082412.tif 000003
(57)【要約】      （修正有）【課題】鍋とおたま等との共用は扱いやすくすることが望ましい。おたまの柄部分が焼けず鍋蓋に収納することにより受け皿を不要とし、鍋とおたまが同時に運べ使用することができるようにする。【解決手段】鍋蓋におたまやヘラの柄が収納できる形状の切り欠き部分を設けることにより鍋の中におたまなどを取り込むことができる。切り欠き部分の形状を矩の手状に加工することにより柄の係止が可能となり、柄が縁に寄り付き焼けることを防止できる。切り欠き部分は有害物の進入や鍋の内部熱の損失が生じるので、回転蓋を取り付けることにより、このことを防止することができる。【選択図】図４
2007082734.tif 000002
【特許請求の範囲】
【請求項１】
鍋蓋の縁部分より蓋の中心に向けておたま、ヘラなどの柄の寸法に調整された、一方向の切り欠き部分「3」を設けたことを特徴とする。お玉、ヘラの柄を収納することのできる鍋蓋。参考「図２」
【請求項２】
前記、鍋蓋の切り欠き部分の形状を矩の手状の加工を施し、縁よりの一方は切り欠き部分「３」であり、切り欠き部分より先の一方は切り欠き収納部分「４」を形成する。この切り欠き部分「３」「４」はおたま、ヘラなどの柄の寸法に調整されている。切り欠き部分と切り欠き収納部分との角、入り隅部分には突起部分「５」が設けてあり、切り欠き収納部分「４」にお玉、ヘラの柄「９」を係止できることを特徴とする鍋蓋。参考「図３」
【請求項３】
前記「請求項１」の切り欠き部分「３」「請求項２」の矩の手状の切り欠き部分「３」「４」の上を覆うために回転蓋「６」を鍋蓋との間に間隙を設け、止めピン「７」を用い取り付けることにより回転蓋は回転することができる。回転蓋の下部には入り勾配「８」がつけてありお玉、ヘラの柄「９」を切り欠き部分「３」に導入する場合、回転蓋は容易に回転し柄部分を収納することができる。入り勾配のある回転蓋を取り付けたことを特徴とする鍋蓋。参考「図４」
【発明の詳細な説明】
【技術分野】
【０００１】
本発明は、鍋蓋に調理器具のおたまやヘラの収納を図った鍋蓋に関する。
【背景技術】
【０００２】
従来、鍋と鍋蓋は煮炊き時には同時に使用するのが一般的で、煮炊き時の味付けや調理済みの物を盛り付けるには調理器具のおたまやヘラ等を用いる。その際におたま等の汁よけに受け皿が使われている。おたまの処理の考案としてあるものは、おたまの柄のとめ具として、特開平2003-245211号におたまを鍋の淵に置けることの公報があるが、おたまの柄が鍋蓋の閉じることを妨げる構成となっている。
【０００３】
特開平11-313760号には鍋の側面上部に玉じゃくし孔を付け、鍋に玉じゃくしを入れたまま蓋をすることのできることの公報があるが、おたまの柄部分が鍋の外に出る構成となっており柄部分の焼ける場合が懸念される。
【０００４】
【特許文献１】特開平2003-245211号広報  特開平11-313760号広報
【発明の開示】
【発明が解決しようとする課題】
【０００５】
以上に述べたように、鍋とおたま等との共用は扱いやすくすることが望ましい。おたまの柄部分が焼けず鍋蓋に収納することにより受け皿を不要とし、鍋とおたまが同時に運べ使用することができることによる調理作業の効率向上を目的とする。
【課題を解決するための手段】
【０００６】
「請求項1」の発明は「図２」に形態を示し鍋蓋の材種に関わることなく縁部分の一方に切り欠き部分「３」を設け構成することにより、おたま等の柄を収納することが可能となり、おたま用の受け皿を不要とすることができる。切り欠き部分の縁は鍋蓋がアルミなど薄い材質の場合バーリング加工することや、モールを取り付け切り口の養生を行うことができる。
【０００７】
「請求項２」の発明は「図３」に形態を示し、切り欠き部分を矩の手状に加工を施す。構成は縁よりおたまの柄を入れ込む切り欠き部分「３」、曲り角よりの柄を収納する切り欠き収納部分「４」、曲り角の入り隅部分には柄部分の返りを防止しする突起部分「５」を持って構成する。このことにより柄を係止する事が可能となり切り欠き部分「３」の長さの調整により柄の炎による過熱を防ぐことができる。
【０００８】
「請求項３」の発明は「図４」に形態を示し、鍋蓋の切り欠き部分「３」「４」よりの有害物の進入防止、鍋の内部熱の損失を防止することを目的に切り欠き部分の上を覆う回転蓋「６」を取り付ける。取り付けは取り付けピン「７」を用い鍋蓋と回転蓋との間に間隙を設け止めることにより回転蓋は容易に回る。回転蓋の下部はおたまの柄を入りやすくするために入り勾配「８」の加工を施すことにより、おたまの柄は容易に切り欠き部分に収納することができる。
【発明の効果】
【０００９】
上述したように本発明のおたま蓋は、おたま、ヘラなどを鍋の中に収納することができることによりおたまの受け皿は不要となり、鍋とおたまは同時に運ぶことができる。切り欠き部分には回転蓋を取り付けることにより有害物の進入防止、鍋の内部熱の損失を防止することができる。これらのことにより、毎回の調理作業には効率向上が図れ節水に貢献することができる。
【発明を実施するための最良の形態】
【００１０】
本発明のおたま蓋の実施形態は「図１」に示す。図は鍋におたまを納めた形状を現している。切り欠き部分「３」「４」の形状をおたま、ヘラの柄の入る形状に調整し柄部分が鍋中心に傾斜し柄が焼けない状態となる切り欠き部分の形状で構成する。鍋蓋の材質は多様だが切り欠き部分の形状は同様とする。
【図面の簡単な説明】
【００１１】
【図１】本発明の実施形態を示すおたま蓋におたまを取り込んだ鍋の断面図
【図２】鍋蓋に一方向の切り欠き部分を設けた平面図
【図３】鍋蓋に矩の手状の切り欠き部分を設けた部分拡大平面図
【図４】鍋蓋の切り欠き部分に回転蓋を取り付けた部分拡大平面図
【符号の説明】
【００１２】
１  鍋蓋      
２  縁
３  切り欠き部分
４  切り欠き収納部分
５  突起部分
６  回転蓋
７  止めピン
８  入り勾配
９  おたま、ヘラの柄
１０回転蓋回転状態
【図１】
2007082734.tif 000003
【図２】
2007082734.tif 000004
【図３】
2007082734.tif 000005
【図４】
2007082734.tif 000006
(57)【要約】【課題】車内における揮発物質を効率よく除去可能な性能を自動車用シートに付与し、また、シートの構造部材を変更せず、外観上も変えることなく、揮発物質の吸着性能を容易に付与可能な自動車用シートを構成する。【解決手段】車内における揮発物質の吸着性能を有する不織布１をシートパッド２のシートフレーム３，４と接する面側にあてがい配置する。好ましくは、該不織布１をあてがい配置したシートパッド２をシートバック，シートクッションの双方に組み付ける。【選択図】図１
2007082701.tif 000002
【特許請求の範囲】
【請求項１】
車内における揮発物質の吸着性能を有する不織布をシートパッドのシートフレームと接する面側にあてがい配置してなることを特徴とする揮発物質の吸着性能付き自動車用シート。
【請求項２】
上記不織布をシートフレームと接する面側にあてがい配置したシートパッドをシートバック，シートクッションの双方に組み付けてなることを特徴とする請求項１に記載の自動車用シート。
【発明の詳細な説明】
【技術分野】
【０００１】
本発明は、車内における揮発物質を吸着する性能を付与する自動車用シートに関するものである。
【背景技術】
【０００２】
従来、酸化分解を含む化学反応型消臭材の付着により、人体から出る汗等に相当する不快臭成分の消臭性能を有する不織布を備えた自動車用シートが提案されている。その消臭性能を有する不織布は、シート本体の表装材としてシートクッションの下部側を覆うよう備え付けられている（特許文献１）。
【特許文献１】特開平１０−３２７９８０
【発明の開示】
【発明が解決しようとする課題】
【０００３】
本発明の課題は、主に、車内における臭いなどの元となる揮発物質を効率よく除去可能な性能を自動車用シートに付与するところにある。
【０００４】
また、シートの構造部材を変更せず、外観上も変えることなく、揮発物質の吸着性能を容易に付与可能な自動車用シートを構成するところにある。
【課題を解決するための手段】
【０００５】
本発明の請求項１は、車内における揮発物質の吸着性能を有する不織布をシートパッドのシートフレームと接する面側にあてがい配置してなることを特徴とする。
【０００６】
本発明の請求項２は、車内における揮発物質の吸着性能を有する不織布をシートフレームと接する面側にあてがい配置したシートパッドをシートバック，シートクッションの双方に組み付けてなることを特徴とする。
【発明の効果】
【０００７】
本発明の請求項１に係る自動車用シートによると、車内における揮発物質の吸着性能を有する不織布をシートパッドのシートフレームと接する面側にあてがい配置するものであるため、座者の荷重と共に、走行時の振動等によるシートパッドの圧縮，復元に伴う吸気，排気の作用を直接受けることから、不織布が車内における揮発物質を効率よく吸着除去できる。
【０００８】
それに加えて、シートパッドがシートフレーム，クッションバネと擦れることによる異音の発生を防げ、シートの構造部材を変更せず、外観上も変えることなく、揮発物質の吸着性能を容易に付与できる。
【０００９】
本発明の請求項２に係る自動車用シートによると、車内における揮発物質の吸着性能を有する不織布がシートバック，シートクッションの双方に組み付けられているため、不織布による揮発物質の吸着面積を増やせることから、車内における揮発物質をより効率よく吸着除去できる。
【発明を実施するための最良の形態】
【００１０】
図示実施の形態は、図１で示すように自動車用シートのシートバックとして構成されている。このシートバックは、車内における揮発物質の吸着性能を有する不織布１をバックパッド２の背面側に備えて構成されている。バックパッド２は樹脂発泡成形品でなり、不織布１を備える背面側からシートバックフレーム３，クッションバネ４で受け止めるよう組み付けられている。
【００１１】
不織布１は、図２で示すようにバックパッド２の背面側略大半に敷き込むと共に、周回り近く数箇所をバックパッド２に打ち込む樹脂製のＨ形クリップ５で止着することから、バックパッド２の背面に接するようあてがい配置されている。
【００１２】
その不織布１は、バックパッド２を袋状のシート表皮６で覆い（図１参照）或いは背抜き状のシート表皮で覆ってバックボード（いずれも、図示せず）を組み付けることからシートバックの内部に収容されている。
【００１３】
その不織布１としては、人汗臭，タバコ臭，ペット臭等を含み、車内装備品より生ずる揮発物質を吸着可能なものであればよい。例えば、活性炭繊維からなる不織布が挙げられる。この活性炭繊維からなる不織布は、吸着剤塗布の不織布と違い、吸着剤の剥離による吸着性能の劣化や脱落による汚れが発生しないことから好ましい。厚みとしては０．２〜５ｍｍ程度のもので、好ましくは０．４〜０．６ｍｍ程度のものを用いるとよい。
【００１４】
このように構成するシートバックでは、不織布１が座者の荷重と共に、走行時の振動等によるバックパッド２の圧縮，復元に伴う吸気，排気作用を直接受けることから、車内における揮発物質を不織布１で効率よく吸着除去するようにできる。
【００１５】
それに加えて、バックパッド２が不織布１でシートバックフレーム３，クッションバネ４等と直接接しないようできるから、異音の発生も防げる。また、不織布１をバックパッド２の背面側にあてがってシートバックの内部に収容することから、シートの構造部材を変更せず、外観上も変えることなく、揮発物質の吸着性能を容易に付与するようにできる。
【００１６】
上述した実施の形態は、シートバックを組み立てる場合に基づいて説明したが、シートクッションを組み立てるにも同様に適用できる。このシートクッションを組み立てる場合、上述した不織布１はクッションパッドの下面側にあてがい配置すればよい。また、シートバック，シートクッションの双方に組み付けて不織布による吸着面積を増やすことから、車内における揮発物質をより効率よく吸着除去できる。
【図面の簡単な説明】
【００１７】
【図１】本発明に係る自動車用シートのシートバックを示す断面図である。
【図２】図１のシートバックに組み付けられるバックパッドを示す背面図である。
【符号の説明】
【００１８】
１              揮発物質吸着用不織布
２              シートパッド
３，４          シートフレーム
【図１】
2007082701.tif 000003
【図２】
2007082701.tif 000004
(57)【要約】【課題】従来多くの人が、既成、市販等の予め擂ってあるものよりも、擂り粉木と擂り鉢で料理、調理、食事等のその場で擂った方物の方が格段に風味が優れていることを知っているが、擂り粉木を上手く使えないため、擂り粉木と擂り鉢があっても使わず、また、使ってみたい気持ちは有っても使えない課題があった。【解決手段】  通常の擂り粉木と外形が略同形同大の握り棒部と回転頭部からなり、調速モーターを内装した握り棒部の回転軸を回転頭部の凹部に着脱自在に嵌着して設け、握り棒部の調速モーターの回転軸の回転で回転頭部を回転駆動して、擂り鉢内の穀類等を、使用者の熟練や上手下手に全く関係なしに、極めて容易に擂ることが出来るようにした、本発明自動回転式擂り粉木によって課題を解決した。【選択図】  図１
2007082665.tif 000002
【特許請求の範囲】
【請求項１】
握り棒部を、通常の擂り粉木の丸棒状の握り部と略同形同大に形成し、該握り棒部の内部にバッテリー若しくは電源プラグ等の電力で調速自在に回転駆動する調速モーターを内装すると共に、該調速モーターの回転軸を握り棒部の先端部から外部に突出して備え、
回転頭部を、短円柱体の先端部を通常の擂り粉木の先端部と略同形同大に形成すると共に、後端部に上記調速モーターの回転軸を着脱自在に嵌着する凹部を形成して備え、
上記握り棒部の回転軸を上記回転頭部の凹部に着脱自在に嵌着して設けたものである、
自動回転式擂り粉木。
【請求項２】
握り棒部を、通常の擂り粉木の丸棒状の握り部と外形が略同形同大の円筒状の金属、プラスチック、木材（防水加工）等の中空部内にバッテリー若しくは電源プラグ等の電力で調速自在に回転駆動する調速モーターを内装すると共に、該調速モーターの回転軸を握り棒部の先端部から外部に突出して備えた、
請求項１の自動回転式擂り粉木。
【請求項３】
回転頭部を、通常の擂り粉木のように山椒の木等の木材で設け、回転軸を着脱自在に嵌着する凹部付近を丈夫で容易に破損、磨耗、腐食しない金属若しくはプラスチックで設け、また、鋼製回転軸を着脱可能に吸着保持するように永久磁石を備えた、
請求項１の自動回転式擂り粉木。
【請求項４】
調速モーターの回転軸の先端部と回転頭部の凹部を、多角形軸対多角形穴のように、相互に着脱自在に嵌着すると共に回転軸の回転を回転頭部に伝達して該回転頭部を回転駆動するように備えたものである、
請求項１の自動回転式擂り粉木。
【発明の詳細な説明】
【技術分野】
【０００１】
本発明は、通常の擂り粉木と外形が略同形同大の握り棒部と回転頭部からなり、調速モーターを内装した握り棒部の回転軸を回転頭部の凹部に着脱自在に嵌着して設けた、自動回転式擂り粉木に係り、
握り棒部の調速モーターの回転軸の回転で回転頭部を回転駆動して、擂り鉢内の穀類等を、使用者の熟練や上手下手に全く関係なしに、極めて容易に擂ることが出来るようにしたものである。
【背景技術】
【０００２】
極めて古い時代から、穀類その他各種の食品等を擂り鉢に入れ、擂り粉木で擂って料理・調理・食事等に使用することが広く行なわれて来たが、近時は擂り粉木と擂り鉢を使う人が少なくなって来ている。
然しながら、それでもなお、多くの人が、既成、市販等の予め擂ってあるものよりも、擂り粉木と擂り鉢で料理、調理、食事等のその場で擂った方物の方が格段に風味が優れていることを知っており、その為未だに使用している人がおり、また使ってみたいと思っている人も多い。
【０００３】
一方、昔と異なり、使用する機会が減ってしまったため、特に中年以下の人は擂り粉木を上手く使えない場合が多くなってきている。
擂り粉木を上手く使えない一番の理由は、擂り鉢の中で擂り粉木を調子よく上手に回転できないということであり、これをこなすには上手な人の指導と多少の練習が必要であるが、現在ではその事さえが難しくなってきている。
そのため、擂り粉木と擂り鉢があっても使わず、また、使ってみたい気持ちは有っても使えない等の課題があった。
【発明の開示】
【発明が解決しようとする課題】
【０００４】
そこで、本発明は、上記の、擂り鉢の中で擂り粉木を調子よく上手に調子よく回転することを、使用者の熟練や上手下手に全く関係なしに、擂り粉木自身が自分で回転して行なうように備えた、自動回転式擂り粉木を開発提供して、上記従来の課題を解決したものである。
【課題を解決するための手段】
【０００５】
即ち、本発明は、握り棒部を、通常の擂り粉木の丸棒状の握り部と略同形同大に形成し、該握り棒部の内部にバッテリー若しくは電源プラグ等の電力で調速自在に回転駆動する調速モーターを内装すると共に、該調速モーターの回転軸を握り棒部の先端部から外部に突出して備える一方、
【０００６】
回転頭部を、短円柱体の先端部を通常の擂り粉木の先端部と略同形同大に形成すると共に、後端部に上記調速モーターの回転軸を着脱自在に嵌着する凹部を形成して備え、
【０００７】
上記握り棒部の回転軸を上記回転頭部の凹部に着脱自在に嵌着して設けたものである自動回転式擂り粉木によって課題を解決したものである。
【発明の効果】
【０００８】
本発明は、従来は中々難しかった擂り鉢の中で擂り粉木を調子よく上手に回転して各種食品等を擂ることを、本自動回転式擂り粉木の握り棒部の調速モーターの回転軸の回転で回転頭部を回転駆動することによって、使用者の熟練や上手下手に全く関係なしに、何人でも極めて容易に行なうことができる優れた効果がある。
【実施例１】
【０００９】
以下、図面により、本発明の実施例につき説明する。
図１は本発明実施例の縦断正面図である。
【００１０】
本発明の実施例につき説明する。
握り棒部１を、通常の擂り粉木の丸棒状の握り部と外形が略同形同大の円筒状のプラスチックの中空部内にバッテリー２若しくは電源プラグ等の電力で調速自在に回転駆動する調速モーター３を内装すると共に、該調速モーター３の回転軸４を握り棒部１の先端部から外部に突出して備え、
【００１１】
回転頭部５を、通常の擂り粉木のように山椒の木等の木材で設け、回転軸４を着脱自在に嵌着する凹部６付近を丈夫で容易に破損、磨耗、腐食しないプラスチックで設け、また、鋼製回転軸４を着脱可能に吸着保持するように永久磁石７を埋設して備え、
【００１２】
また、調速モーター３の回転軸４の先端部を四角形に形成すると共に回転頭部５の凹部６を四角形穴に形成して、相互に着脱自在に嵌着すると同時に回転軸４の回転を回転頭部５に伝達して該回転頭部５を回転駆動するように備えて、自動回転式擂り粉木Ａを設けたものである。
【００１３】
上記Ａにおいて、調速モーター３の電源は、バッテリー（例、乾電池）、充電式バッテリー２（図示例）、若しくは通電プラグ・アダプター等、任意であり、符号８は充電式バッテリー２のプラグであって、螺着したキャップ９を外して電源ソケット（図示せず）に差込んで充電する。
【産業上の利用可能性】
【００１４】
本発明自動回転式擂り粉木は、上記のように穀類その他の各種食品を擂ることに限定されず、例えば、薬剤その他任意の物品を各種の鉢内で擂ることに汎用できる。
【図面の簡単な説明】
【００１５】
【図１】本発明実施例の縦断正面図である。
【符号の説明】
【００１６】
Ａ  本発明実施例
１  握り棒部
２  バッテリー
３  調速モーター
４  回転軸
５  回転頭部
６  凹部
７  永久磁石
８  プラグ
９  キャップ
【図１】
2007082665.tif 000003
(57)【要約】【課題】ペットの抜け毛散乱を防止するため、ペット用網目コートの内側に接着性を持たせ、抜け毛を捕捉し、室内等への散乱を防止するコートを提供する。【解決手段】本発明は、ペットが嫌がらないように、薄く軽い、合成樹脂で成型加工し、又、通気性を良くするため、抜け毛が通らない程度の網目を全面に設け、内側に接着性を持たせペットの胴体部を背部から腹部方向に渡って覆うことによって、抜け毛散乱を防止することを特徴とする。【選択図】  図２
2007082524.tif 000002
【特許請求の範囲】
【請求項１】
ペットの胴体部を背中から腹部方向に渡って覆い、合成樹脂製で薄く軽い。抜け毛が通らない程度の網目を全面に設け、内側に接着性を持たせ、ペットの抜け毛を捕捉し、室内等への散乱を防止したことを特徴とするコート。
【発明の詳細な説明】
【技術分野】
【０００１】本発明は、ペットの抜け毛散乱を防止するため、ペット用網目コートの内側に接着性を持たせ、抜け毛を捕捉し、室内等への散乱を防止したものである。
【背景技術】
【０００２】従来は、ペット用の抜け毛散乱防止のコートはなかった。
【発明の開示】
【発明が解決しようとする課題】
【０００３】ペットは、季節により、毛が生え変わる。室内で飼っていると抜け毛が室内各所に散乱して、不潔になりやすく、清掃に時間と動力が掛かっていた。本発明は、この課題を解消するために成されたものである。
【課題を解決するための手段】
【０００４】本発明は、ペットが嫌がらないように、薄く軽い、合成樹脂で成型加工し、又、通気性を良くするため、抜け毛が通らない程度の網目を全面に設け、内側に接着性を持たせ、ペットの胴体部を背部から腹部方向に渡って覆うことによって、抜け毛散乱を防止することを特徴とする。
【発明の効果】
【０００５】ペットのブラッシング後にペット用抜け毛散乱防止コートを使用するこにより、室内等への抜け毛散乱がなくなり、室内が衛生的に保たれ、清掃時間の短縮や動力の削減に効果がある。
【実施例１】
【０００６】本発明の実施の形態を図面に基づいて説明すると、図２において、合成樹脂で成型加工する胴体覆い部１は、薄く軽い素材で、全面網目を設け、内側に接着性を持たせてある。ペット胴体に固定する接着テープ帯部２は、４本を形成してある。
【図面の簡単な説明】
【０００７】
【図１】本発明の実施例の説明図である。
【図２】本発明の本体全体の説明図である。
【符号の説明】
【０００８】１  コート本体（網目）
２  接着テープ
【図１】
2007082524.tif 000003
【図２】
2007082524.tif 000004
(57)【要約】      （修正有）【課題】これまでのヤエンはイカが乗った時点では使用出来ず釣人現認４５°の時点まで引寄せねばならなかった、そのためイカに逃げられることが多かった、その欠点を克服出来るヤエンを考案することが必要であり課題であった、こヽにその欠点使用範囲を無條件で克服出来るヤエンを提供する。【解決手段】棒又は管状の浮力体１を設け、その浮力体の先端にヤエン２を設ける。その浮力に見合った自力推進の動力５を装着する。以上の様な機構を特徴とするヤエンである。【選択図】図１
2007082527.tif 000002
【特許請求の範囲】
【請求項１】
（１）浮力体の先端に、（２）アオリイカ捕獲用のヤエンを設けその浮力体に見合った、（５）自力推進用、動力を有する
以上のごとく構成されたヤエンである。
【発明の詳細な説明】
【技術分野】
【０００１】この発明はアオリイカ釣りに使用するヤエンに自力推進動力を付加した、ヤエンに関するものである
【背景技術】
【０００２】従来は自重を利用した単なる落し込みであった。
【発明の開示】
【発明が解決しようとする課題】
【０００３】これは次の様な欠点があった、テグスに沿って滑らせるだけの落し込みであるので遠くでイカが乗ることが多いにかヽわらず、釣人現認４５°位いの角度まで引寄せねば使用出来なかった。その結果引寄せの途中で異常を感じたイカに逃げられることが大半であった。そのことはヤエンの大小、軽重にかヽわらずさけられぬ最大の欠点であった。本発明は以上の如き欠点をなくすためになされたものである。
【課題を解決するための手段】
【０００４】以上を解決するためにはイカまでの距離、糸フケ（タユミ）に関係なくその場に到達出来るヤエンを開発する以外、方法がないことが最後にゆきついた結論である、その結論にもとずき、開発したのが自動推進力を持つヤエンである。推進の方法としては電池、モーター（スクリーユー）ゴム動力によるもの、圧縮空気の噴出によるもの、ゼンマイ又は化学物質の水との混合噴出などあるがこの場合モーターによるものを利用した、いずれにしても自力推進を得るための手段である。
【発明の効果】
【０００５】（イ）イカが乗った時点で拒離、深さなどに関係なく使用することが出来る
（ロ）糸フケ（タユミ）など不利な條件を考える必要がない。
（ハ）自力推進なので推力に見合った、加工性を高めることが出来る。
（ニ）ヤゲン本数の増加はそのまヽ獲物捕獲の効果、効率を高める。
（ホ）ヤゲン本数の増加によりギヤグ併用の効果を生じ玉網を使用せずそのまヽ引上る様、加工することが出来る。
（ヘ）ヤエン先端部に極細ネットなどの加工により上下の捕獲能力を拡大することが出来る。
（ト）推進力の逆転により捕獲後の取り込みを容易にすることが出来る。
などの様に発明の効果を拡大することが出来る。
【発明を実施するための最良の形態】
【０００６】以下本発明を実施するための最良の形態について説明する。浮力を得るための（１）中空の筒の先端に（２）ヤエンを設ける。（３）その浮力に見合った、自動推進用、動力を設ける。以上のような構造でこれを使用することで従来考えられなかった、さまざまな要求を解決することが出来る。
【図面の簡単な説明】
【０００７】
【図１】本発明の斜視図である。
【符号の説明】
【０００８】（１）浮力体  （２）ヤエン  （３）動力部吸着用平板  （４）動力用吸盤  （５）推進用動力  （６）対水比重調整用ネジ
【図１】
2007082527.tif 000003
(57)【要約】【課題】  消費者が必要時食べたい量を選ぶ事ができず、冷蔵状態で流通されている為、徐々に発酵が進み（２次発酵）賞味期限が短く流通性、保存性が悪いという点を解消する方法を提案する。【解決手段】  棚状のトレーで大豆を一粒一粒発酵させた後冷凍し、消費者が食べる際、取り分けし易い容器に箱詰めする。【選択図】  図１
2007082521.tif 000002
【特許請求の範囲】
【請求項１】
納豆を容器に充填せず、棚状のトレーで一粒一粒発酵させた後、最も良い品質の状態で冷凍する方法。
【請求項２】
納豆の冷凍（氷の結晶）による大豆本体の細胞組織破壊が起こる為、解凍後のテクスチャーが軟らかく良いという効果が現れる方法。
【請求項３】
納豆を冷凍した後、容器に入れることで、消費者が必要時必要量解凍し食べれる方法。
【発明の詳細な説明】
【技術分野】
【０００１】  本発明は、棚状のトレーで蒸煮後大豆を一粒一粒発酵させた後冷凍し、箱詰めする事により、流通管理が容易で保存性及び消費者の利便性の高い納豆を製造供給する方法に関してである。
【技術背景】
【０００２】  従来、納豆は蒸した大豆に納豆菌を植菌し、容器に詰めた状態で発酵させ、冷蔵状態で流通販売されていた。
【発明の開示】
【発明が解決しようとする課題】
【０００３】  その為に、次のような問題点があった。
容器に規定量の納豆を充填している為、消費者が必要時食べたい量を選ぶ事が出来なかった。
冷蔵状態で流通されている為、徐々に発酵が進み（２次発酵）賞味期限が短く流通性、保存性が悪かった。
【課題を解決するための手段】
【０００４】  棚状のトレーで蒸煮後大豆を一粒一粒発酵させた後冷凍し、消費者が食べる際、取り分けし易い容器に箱詰めする。
【発明の効果】
【０００５】  本発明は、蒸煮後大豆を一粒一粒発酵するため、旨味が強く、冷凍（氷の結晶）による豆本体の細胞組織破壊が起こる為、テクスチャーが柔らかく良くなる上、保存性が高く流通が便利で、消費者が必要時必要量解凍し食べれる為便利である。
【発明を実施するための最良の形態】
【０００６】  以下、本発明の実施の形態を説明する。
（イ）まず、大豆を洗穀する。
（ロ）次に大豆を水侵浸する。
（ハ）蒸煮する。
（ニ）蒸煮後大豆に納豆菌を植菌する。この際、蒸煮植菌後の豆を従来の様に容器に詰めず、トレーに並べた（広げた）状態で植菌する事で、一粒ずつ効率的に発酵できる様にする。
（ホ）植菌した大豆を発酵させる。
（ヘ）発酵終了後（定常期終了後）緩やかに冷却する。理由は結露防止の為である。
（ト）そのまま温度を更に下げて冷凍状態にする。温度は−１８℃ほどである。
（チ）ほぐす。理由は消費者が必要量だけ使用できる様にするためである。
（リ）冷凍状態のまま包装する。
（ヌ）冷凍状態のまま出荷する。
本発明は以上の構成よりなっている。
図面のチャートに、特に重要な部分は番号をふっている。特に重要な部分は、（１）植菌の際に容器に詰めず、（２）結露を防ぐ為、一度緩やかに冷却し、（３）納豆菌の増殖と酵素の活性を止めると同時に、大豆本体の細胞組織破壊を起こす為に冷凍し、（４）ぱらぱらの状態にほぐすため消費者が必要量だけ使用し、解凍後従来と同じようにまぜると糸を引く状態になる、（５）（６）冷凍状態のままである、という６点である。
【図面の簡単な説明】
【０００７】
【図１】本発明の簡単なチャート
【符号の説明】
【０００８】なし。
【図１】
2007082521.tif 000003